(57)【要約】【課題】  一体成型の筐体で雑音の影響を回避しつつ、且つ、内部の熱を効率的に外部に放熱できる筐体にして部品の劣化や部品の特性の変化を招かないようにしたＣＡＴＶ用増幅器を提供する。【解決手段】  互いに電磁的に遮蔽された増幅部収容室（２６）と電源部収容室（４２）とにより、一方の室から他方の室への電磁的雑音の影響や外部からの電磁的雑音の影響及び外部への電磁的雑音の影響を排除でき、さらに、シャーシ（２）の背面に形成された放熱部（１１）により、シャーシ（２）内部の熱（増幅部や電源部で発生した熱）を外部に逃がすことができる。【選択図】  図２
2006014285.tif 000002
【特許請求の範囲】
【請求項１】
互いに電磁的に遮蔽された増幅部収容室と電源部収容室とを有するシャーシの背面に放熱部を形成し、これらの収容室及び放熱部を一体成型したことを特徴とするＣＡＴＶ用増幅器。
【請求項２】
前記放熱部は、前記シャーシの一辺側から該一辺に対向する他辺側へと延在する多数枚のフィンであり、且つ、各々のフィンに多数の凹部を形成したことを特徴とする請求項１記載のＣＡＴＶ用増幅器。
【請求項３】
前記放熱部は、台形断面状の多数の角柱体又は円柱体であることを特徴とする請求項１記載のＣＡＴＶ用増幅器。
【請求項４】
前記放熱部は、前記シャーシの背面全体に一様に形成されたものであることを特徴とする請求項１乃至請求項３いずれかに記載のＣＡＴＶ用増幅器。
【発明の詳細な説明】
【技術分野】
【０００１】
本発明は、ＣＡＴＶ用増幅器に関し、特に、シャーシ（筐体）の内部に増幅部と電源部とを収容して構成されたＣＡＴＶ用増幅器に関する。
【背景技術】
【０００２】
“ＣＡＴＶ”（Community Antenna ＴＶ）とは、センターで受信したテレビジョン放送を通信ケーブルを通して家庭等に配信するサービスのことである。当初、難視聴対策として始められたＣＡＴＶも、現在では、多チャンネルの番組サービスをはじめ、インターネットサービスや、ゲームのデーター配信サービス、さらには、カラオケ、ホームセキュリティ、ＣＡＴＶ電話など、あらゆるサービスに利用されるようになってきた。
【０００３】
ＣＡＴＶ用増幅器は、ＣＡＴＶ契約者宅（ビルやマンション等の共同受信施設又は一般住宅等）に設置される機器である。ＣＡＴＶブースタともいう。ＣＡＴＶ用増幅器は、金属製の筐体（シャーシ）の内部に、ＣＡＴＶ信号を増幅する増幅部と、この増幅部の動作電源をまかなう電源部とを収容しており、一般に、増幅部は、電源部などからの雑音の影響を抑制するために、遮蔽板（シールド板）で覆われている。
【０００４】
ところで、上記のとおり、現在のＣＡＴＶは、テレビジョン放送だけでなく、インターネットや電話又はその他の通信にも利用されるようになってきているため、単に増幅部をシールド板で覆っただけでは、様々な信号源からの雑音の影響を完全に抑制しきれなくなってきている。
【０００５】
そこで、特許文献１に記載されているようなＣＡＴＶ用増幅器が知られている。このＣＡＴＶ用増幅器は、内部が二室に区画されたアルミ合金一体成形の本体部と、その本体部を閉鎖する蓋とを備えた筐体を有している。二室の一方は増幅部基板の収容室であり、二室の他方は、電源基板の収容室である。これらの二室は、アルミ合金の壁によって区画されており、増幅部と電源部との間を電磁的に遮蔽して、雑音の影響を抑制することができる。
【０００６】
【特許文献１】特開平１０−２２４７６２号公報
【発明の開示】
【発明が解決しようとする課題】
【０００７】
しかしながら、上記従来のＣＡＴＶ用増幅器にあっては、アルミ合金の壁によって区画された二つの室の各々に増幅部と電源部とを収容する構成となっていたため、増幅部や電源部で発生した熱が筐体の内部にこもりやすく、その熱の影響で、増幅部や電源部の部品が劣化したり部品の特性が変化したりすることがあるという問題点がある。
【０００８】
そこで、本発明の目的は、一体成型の筐体で雑音の影響を回避しつつ、且つ、内部の熱を効率的に外部に放熱できる筐体にして部品の劣化や部品の特性の変化を招かないようにしたＣＡＴＶ用増幅器を提供することにある。
【課題を解決するための手段】
【０００９】
請求項１記載の発明は、互いに電磁的に遮蔽された増幅部収容室と電源部収容室とを有するシャーシの背面に放熱部を形成し、これらの収容室及び放熱部を一体成型したことを特徴とする本発明に係るＣＡＴＶ用増幅器である。
請求項２記載の発明は、請求項１記載のＣＡＴＶ用増幅器において、前記放熱部は、前記シャーシの一辺側から該一辺に対向する他辺側へと延在する多数枚のフィンであり、且つ、各々のフィンに多数の凹部を形成したことを特徴とするものである。
請求項３記載の発明は、請求項１記載のＣＡＴＶ用増幅器において、前記放熱部は、台形断面状の多数の角柱体又は円柱体であることを特徴とするものである。
請求項４記載の発明は、前記放熱部は、前記シャーシの背面全体に一様に形成されたものであることを特徴とする請求項１乃至請求項３いずれかに記載のＣＡＴＶ用増幅器である。
【発明の効果】
【００１０】
請求項１記載の発明によれば、互いに電磁的に遮蔽された増幅部収容室と電源部収容室とにより、一方の室から他方の室への電磁的雑音の影響や、外部からの電磁的雑音の影響、及び、外部への電磁的雑音の影響を排除することができ、さらに、シャーシの背面に形成された放熱部により、シャーシ内部の熱（増幅部や電源部で発生した熱）を外部に逃がすことができる。したがって、一体成型の筐体で雑音の影響を回避しつつ、且つ、内部の熱を効率的に外部に放熱できる筐体にして部品の劣化や部品の特性の変化を招かないようにしたＣＡＴＶ用増幅器を提供することができる。
請求項２記載の発明によれば、シャーシの一辺側と該一辺に対向する他辺側とを上下方向にして壁面等に取り付けることにより、多数枚のフィンの延在方向に沿って自然空気流路を形成することができ、放熱効果を高めることができる。また、シャーシの一辺側と該一辺に対向する他辺側とを左右方向（横向き）にして壁面等に取り付けた場合にも、各々のフィンに形成された凹部を通る自然空気流路を形成することができる。したがって、いずれの向きの取付状態であっても、シャーシの背面に自然空気流路を形成して放熱効果を高めることができる。
請求項３記載の発明によれば、放熱部を台形断面状の多数の角柱体又は円柱体としたので、請求項２記載の発明と同様に、いずれの向きの取付状態であっても、シャーシの背面に自然空気流路を形成して放熱効果を高めることができる。
請求項４記載の発明によれば、放熱部をシャーシの背面全体に一様に形成したので、シャーシの重量配分を均一化して重量バランスをとることができる。
【発明を実施するための最良の形態】
【００１１】
以下、本発明の実施例を、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１２】
図１は、実施形態におけるＣＡＴＶ用増幅器の外観図である。この図において、ＣＡＴＶ用増幅器１は、アルミ合金等で一体成型されたシャーシ（筐体）２と、そのシャーシ２の上面及び四側面を覆う金属製のケース３とによって構成されている。シャーシ２とケース３は、たとえば、左右側面の各々において複数個（図では四つ）のネジ４〜７（左側面のネジは隠れて見えない）で固定されている。なお、ケース３の上面に開けられた二つの穴８、９は、増幅部基板に設けられている信号レベル調整素子の調整穴や、電源基板に設けられている電源表示ランプの確認穴などである。また、ケース３の一つの側面（図面の左下方向の側面）には、換気のための多数の直線状の空気穴１０が開けられている。
【００１３】
図２は、シャーシ２の外観図である。シャーシ２は、上記のとおり、アルミ合金等で一体成型されたものであり、その構造は、以下のとおりである。すなわち、下面に多数のフィン１１（放熱部）を等間隔に並べた矩形状の底面プレート１２と、その底面プレート１２の一辺に立設された第一立壁１３と、この第一立壁１３に連続すると共に、その底面プレート１２の上記一辺と交差する二つの辺の一部（図では概ね２／３程度）に立設された第二及び第三立壁１４、１５と、この第二及び第三立壁１４、１５に連続して、その底面プレート１２の面上に立設された第四立壁１６とを一体成形したものである。
【００１４】
なお、底面プレート１２の下面に形成された多数のフィン１１の一部には、このシャーシ２をＣＡＴＶ契約者宅の壁面等に固定するための二つの固定部１７、１８（固定部１８は図４参照）が形成されている。また、外側の二つのフィン１１及び第二立壁１４と第三立壁１５には、ケース３を固定するためのネジ穴（前記のネジ４〜７に対応するネジ穴１９〜２５：但し、その一部は隠れて見えない）が形成されている。
【００１５】
上記の四つの立壁（第一立壁１３〜第四立壁１６）で囲まれた空間は、増幅部基板の収容室（以下、増幅部収容室）２６であり、この増幅部収容室２６には、基板固定部２７〜３０や信号接栓取り付け穴３１〜４１などが設けられている。
【００１６】
一方、底面プレート１２の増幅部収容室２６以外の部分は、電源基板の収容室（以下、電源部収容室）４２であり、この電源部収容室４２には、基板固定部４３〜４６や電源ケーブル抜け止め用のＵ字溝状突起４７などが設けられている。
【００１７】
さらに、これらの電源部収容室４２と増幅部収容室２６との間を仕切る第四立壁１６には、電源供給用のいくつか（図では便宜的に四つ）の穴４８〜５１が形成されており、これらの穴４８〜５１に、たとえば、貫通コンデンサを取り付け、その貫通コンデンサを通して雑音を除去した電源電圧を増幅部収容室２６内の増幅部基板に供給できるようになっている。
【００１８】
図３は、シャーシ２の背面図である。上記のとおり、シャーシ２の背面には、多数のフィン１１がシャーシ２の背面全体にわたって一様且つ等間隔に並べられており、また、これらのフィン１１の一部には、このシャーシ２をＣＡＴＶ契約者宅の壁面等に固定するための二つの固定部１７、１８が形成されている。
【００１９】
各々のフィン１１は、シャーシ２の背面に所定の配列ピッチＰａで一体的に立設された板状部材であり、この板状部材は、図示のとおり、一方の固定部１７が形成されたシャーシ２の一辺側から、他方の固定部１８が形成されたシャーシ２の対向辺側へと連続的に延在している。
【００２０】
また、各々のフィン１１には、所定の配列ピッチＰｂで複数の凹部１１ａが形成されており、この凹部１１ａの形状は、たとえば、図示のような曲面状としてもよく、あるいは、その他の形状としてもよい。
【００２１】
このような構成のＣＡＴＶ用増幅器１によれば、以下の効果が得られる。
（１）増幅部収容室２６と電源部収容室４２とを有して一体成形されたシャーシ２に、ケース３を被せることにより、それらの二室（増幅部収容室２６と電源部収容室４２）の間を電磁的に遮蔽しつつ、各室を個別に閉鎖できる。したがって、電源部収容室４２から増幅部収容室２６への雑音の飛び込みや、外部からの増幅部収容室２６への雑音の飛び込みを防止し、また、電源部収容室４２や増幅部収容室２６から外部への不要な電磁輻射を防止することができる。
【００２２】
（２）また、二室（増幅部収容室２６と電源部収容室４２）を仕切る第四立壁１６に形成された穴４８〜５１に貫通コンデンサを取り付け、その貫通コンデンサを通して雑音を除去した電源電圧を増幅部収容室２６内の増幅部基板に供給することにより、電源ライン経由の増幅部収容室２６への雑音侵入も阻止することができる。
【００２３】
（３）加えて、シャーシ２の背面にフィン１１を一体成型したので、増幅部収容室２６や電源部収容室４２の内部の熱を自然放熱させることができる。
【００２４】
図４は、本実施形態における自然放熱の概念図である。（ａ）はシャーシ２の固定部１７、１８を上下方向にして壁面等に取り付けたときの状態図である。この取付状態においては、フィン１１の延在方向が上下になり、暖気は下から上へと流れるから、それらのフィン１１の間を通る自然空気流路５２が作られる。したがって、増幅部収容室２６や電源部収容室４２の内部の熱は、シャーシ２の底面プレート１２からフィン１１へと伝えられ、この自然空気流路５２を通る新鮮な空気を介して外部に放熱される。
【００２５】
一方、（ｂ）はシャーシ２の固定部１７、１８を左右方向にして壁面に取り付けたときの状態図である。この取付状態においては、フィン１１の延在方向が横向きになるため、下から上へと流れる暖気の障害となるが、本実施形態では、各々のフィン１１に所定の配列ピッチＰｂの凹部１１ａを形成しているので、それらの凹部１１ａの間を通る自然空気流路５３が作られる。したがって、この取付状態においても、増幅部収容室２６や電源部収容室４２の内部の熱は、シャーシ２の底面プレート１２からフィン１１へと伝えられ、各々のフィン１１の凹部１１ａを通過する自然空気流路５３の新鮮な空気を介して外部に放熱される。
【００２６】
以上のとおりであるから、本実施形態では、一体成型のシャーシ２（筐体）で雑音の影響を回避しつつ、且つ、内部の熱を効率的に外部に放熱できるシャーシ２（筐体）とすることができ、その結果、増幅部や電源部の部品の劣化や部品の特性の変化を招かないようにしたＣＡＴＶ用増幅器１を提供することができるのである。
【００２７】
なお、本発明は、以上の実施形態に限定されることなく、その思想の範囲内で様々な発展例や変形例を包含することはもちろんであり、たとえば、以下のようにしてもよい。
【００２８】
図５は、他の放熱構造を示す図であり、（ａ）に示すように、台形断面状の多数の角柱体５５を、シャーシ２の底面プレート１２の背面に所定の縦横間隔で配列してもよいし、あるいは、（ｂ）に示すように、円柱体５６としてもよい。これらの角柱体５５や円柱体５６は、前記の実施形態のフィン１１と同様の放熱部であり、フィン１１の代りとなる構成要素である。いずれ（角柱体５５や円柱体５６）を使用した場合でも、ＣＡＴＶ用増幅器の壁面等への取付方向に関わらず、放熱のための自然空気流路（図４の自然空気流路５２、５３参照）が作られるので、シャーシ２の内部の熱を効率的に外部に逃がすことができ、増幅部や電源部の部品の劣化や部品の特性の変化を招かないようにすることができる。
【００２９】
また、本実施形態のフィン１１は、図３に示すように、シャーシ２の背面全体に一様に形成しているため、シャーシ２の重量配分を均一化して重量バランスをとることができるという利点も得られる。
【００３０】
図６は、重量バランスの悪いＣＡＴＶ用増幅器５７の一例を示す図である。このＣＡＴＶ用増幅器５７は、アルミ合金等で一体成形されたシャーシ５８を有しており、このシャーシ５８の内部に増幅部基板５９を実装している。シャーシ５８の背面（壁面等への取り付け面；図示の状態では上面）には、本実施形態と同様の多数のフィン６０が一体成形されているが、本実施形態のようにシャーシ５８の背面全体にわたって形成されておらず、一部がフィン欠損部Ａとなっており、そのフィン欠損部Ａに電源ユニット６１を組み込む構造となっている。
【００３１】
このような構造において、シャーシ５８の図面左右方向の重量は、フィン欠損部Ａの存在により、図面に向かって右側が重く左側が軽くなる。今、その重量差を便宜的にＷとすると、電源ユニット６１の重さをＷ相当とすることにより、重量差Ｗを打ち消し、ＣＡＴＶ用増幅器５７の図面左右方向の重量バランスをとることができる。しかし、電源ユニット６１の重さは、電源ユニット６１の内部構造によって決まるため、都合よく上記の重量差Ｗ相当にすることはできない。また、上記の重量差Ｗに合わせて電源ユニット６１を設計することも考えられなくはないが、設計の自由度を阻害するので好ましくない。
【００３２】
これに対して、本実施形態（図３参照）のように、シャーシ２の背面全体に一様にフィン１１を形成すれば、シャーシ２の重量配分を均一化して、かかる不都合を回避することができる。上記のフィン欠損部Ａが存在しないからである。
【図面の簡単な説明】
【００３３】
【図１】実施形態におけるＣＡＴＶ用増幅器の外観図である。
【図２】シャーシ２の外観図である。
【図３】シャーシ２の背面図である。
【図４】本実施形態における自然放熱の概念図である。
【図５】他の放熱構造を示す図である。
【図６】重量バランスの悪いＣＡＴＶ用増幅器５７の一例を示す図である。
【符号の説明】
【００３４】
１  ＣＡＴＶ用増幅器
２  シャーシ
１１  フィン（放熱部）
１１ａ  凹部
２６  増幅部収容室
４２  電源部収容室
５５  角柱体（放熱部）
５６  円柱体（放熱部）
【図１】
2006014285.tif 000003
【図２】
2006014285.tif 000004
【図３】
2006014285.tif 000005
【図４】
2006014285.tif 000006
【図５】
2006014285.tif 000007
【図６】
2006014285.tif 000008